(57)【要約】  磁気カードをカード走行溝の走行方向に挿入する磁気カードリーダにおいて、除電およびクリーニング機能を有するようにする。  磁気ヘッド（１７）を備えた磁気カードリーダユニット（１４）に磁気カードをガイドする磁気ヘッド前走部（１５）に、膨出部が側壁（１５ａ）に穿設された開口部（１５ｂ）を介してカード走行溝内に突出するように、導電性の固定式除電部材（１９）を設け、その表面に導電性のクリーニングパッドを貼付する。磁気ヘッド前走部（１５）に挿入された磁気カードは、クリーニングパッドによってクリーニングされるとともに、静電気が帯びている場合は、導電性を有するクリーニングパッド、固定式除電部材（１９）および磁気カードリーダ固定金具を経由してグランドに放電させることで静電気を除去することができる。
2011001506.tif 000002
【特許請求の範囲】
【請求項１】
磁気カードをカード走行溝の走行方向に挿入し、前記カード走行溝に沿って前記磁気カードを手動で走行させることにより前記磁気カードに記録されたデータの読み取りを行う磁気カードリーダにおいて、
磁気ヘッドよりもカード走行方向手前にて前記カード走行溝に突出するように除電部材およびクリーニング部材が設けられていることを特徴とする磁気カードリーダ。
【請求項２】
前記除電部材は、導電性を有し、磁気ヘッドが設けられた磁気カードリーダユニットより前記磁気カードの挿入側に設置された磁気ヘッド前走部にて前記カード走行溝を構成する側壁に一部が前記側壁に穿設された開口部を介して前記カード走行溝に突出するように固定され、前記クリーニング部材は、前記カード走行溝に突出している側の前記除電部材の面に貼付され、導電性を有していることを特徴とする請求の範囲第１項記載の磁気カードリーダ。
【請求項３】
前記除電部材は、導電性を有するばね材によって形成され、前記クリーニング部材は、導電性の不織布によって形成されていることを特徴とする請求の範囲第２項記載の磁気カードリーダ。
【請求項４】
磁気ヘッドが設けられた磁気カードリーダユニットより前記磁気カードの挿入側に設置された磁気ヘッド前走部にて前記カード走行溝を構成する側壁に、前記磁気カードの走行方向に、導電性を有する前記除電部材と前記クリーニング部材とが、それぞれの一部が前記側壁に穿設された開口部を介して前記カード走行溝に突出するように固定されていることを特徴とする請求の範囲第１項記載の磁気カードリーダ。
【請求項５】
前記除電部材は、導電性を有するばね材によって形成され、前記クリーニング部材は、不織布によって形成されていることを特徴とする請求の範囲第４項記載の磁気カードリーダ。
【請求項６】
前記除電部材は、その背面に磁気カードリーダ固定金具を位置させ、前記磁気カードが前記磁気ヘッド前走部を走行して前記カード走行溝から待避させられる動作に応動して電気的に接続されることを特徴とする請求の範囲第２項または４項に記載の磁気カードリーダ。
【請求項７】
磁気カードをカード走行溝の走行方向に挿入し、前記カード走行溝に沿って前記磁気カードを手動で走行させることにより前記磁気カードに記録されたデータの読み取りを行う磁気カードリーダにおいて、
磁気ヘッドが設けられた磁気カードリーダユニットの前記カード走行溝をガイドにして前記磁気カードの走行とともに走行する除電部材と、データ読み取り待機状態にて前記除電部材を前記磁気カードリーダユニットの前記磁気カードの挿入側に引き戻す導電性の弾性体と、前記除電部材に貼付されて前記磁気カードの走行に合わせて前記磁気ヘッドをクリーニングするクリーニング部材とを備えていることを特徴とする磁気カードリーダ。
【請求項８】
前記除電部材は、前記磁気カードリーダユニットの前記カード走行溝をガイドにして往復自在に配置されるカード先導部と、挿入された前記磁気カードを受け止めて前記磁気カードと一緒に前記カード先導部に先導されて走行するカード把持部とを有し、前記クリーニング部材は、前記磁気カードの磁気ストライプに対応する前記カード先導部の位置に貼付されていることを特徴とする請求の範囲第７項記載の磁気カードリーダ。
【請求項９】
前記除電部材は、前記カード先導部および前記カード把持部が金属板によって一体に形成されていることを特徴とする請求の範囲第７項記載の磁気カードリーダ。
【請求項１０】
前記除電部材は、前記弾性体を介して磁気カードリーダ固定金具に電気的に接続されていることを特徴とする請求の範囲第７項記載の磁気カードリーダ。
【発明の詳細な説明】
【技術分野】
【０００１】
本発明は磁気カードリーダに関し、特にカード走行溝に沿って磁気カードを手動で走行させることにより磁気ストライプに対してデータの読み取りまたは書き込みを行う接触型の磁気カードリーダに関する。
【背景技術】
【０００２】
磁気カードは、キャッシュカード、診察券、会員証、セキュリティカードなどに用いられており、その表面に埋め込んである細長い磁気ストライプには、利用者を識別する番号などのデジタルデータが磁気的に記録されている。そのような磁気カードに記録されたデータを読み取る装置として、利用者が磁気カードを手動で操作することによりデータを読み取るようにした磁気カードリーダが知られている。【０００３】
磁気カードリーダは、磁気カードの縁をガイドさせるカード摺動基準面に一対の側壁を平行に立設してカード走行溝を形成し、側壁に形成された開口部に磁気カードの磁気ストライプに記録されたデータを読み取る磁気ヘッドが設けられている。この磁気ヘッドは、磁気ストライプとの接触面がカード走行溝内に突出した状態で、側壁にカード走行溝から待避する方向に移動可能に支持されている。これにより、磁気カードをカード走行溝の一方から他方へ走行させると、磁気カードは、カード走行溝内に突出している磁気ヘッドに当接した後、磁気ヘッドをカード走行溝から退く方向に押し退けながら走行し、そのとき、磁気ヘッドが磁気ストライプと接触して磁気ストライプのデータを読み取るようにしている。【０００４】
磁気カードリーダは、静電気が帯電している状態で磁気カードが使用されると、静電気が磁気ストライプと接触している磁気ヘッドを介して放電されることになる。このような場合、磁気ヘッドに電気的に接続されている制御回路が誤動作したり、回路素子が破損したりすることがある。このため、磁気ヘッドの前送部に除電機構を備え、帯電している磁気カードが磁気ヘッドに接触する前に磁気カードを除電させるものが知られている（たとえば、特許文献１参照）。【０００５】
この特許文献１に記載の磁気カードリーダによれば、磁気カードを挿入するスロット状の挿入口に金属製シャッター部材を設置して、磁気カードが挿入されていないときには挿入口の全体を塞ぐようにした構成を有している。磁気カードが挿入されるときには、金属製シャッター部材が磁気カードにその幅方向全体に亘って接触することにより帯電している静電気を除電することになる。【０００６】
また、磁気カードリーダの磁気ヘッドは、磁気カードが走行するカード走行溝に露出していて、磁気カードの磁気ストライプに直接接触する構成になっている。そのため、磁気ヘッドは、設置環境によっては、空気中に浮遊している塵埃が付着することがある。また、磁気カードを使用しているうちに、磁気カードの表面に付着している汚れが磁気ヘッドに転写してしまうこともある。このため、クリーニングカードを使用して磁気ヘッドを定期的に清掃するなどのメンテナンスが必要である。これに対し、カード走行溝に磁気カードを清掃する帯状の塵埃吸着部材を設け、磁気ヘッドには、清掃した磁気カードを接触させるようにして、磁気ヘッドの汚れを防止させるものが知られている（たとえば、特許文献２参照）。【０００７】
この特許文献２に記載の磁気カードリーダによれば、カード走行溝の方向に延びる帯状の塵埃吸着部材を、磁気ヘッドよりもカード走行溝のスリット開口部の側に設置している。このため、磁気カードをスリット開口部からカード走行溝に走行方向と垂直の方向に挿入するときには、磁気カードは、塵埃吸着部材に接触しながらカード摺動基準面まで移動することになるが、そのとき、磁気ストライプが塵埃吸着部材を通過するときに清掃される。
【先行技術文献】
【特許文献】
【０００８】
【特許文献１】特開２０００−２０７８７８号公報
【特許文献２】特開平８−２２７５７６号公報
【発明の概要】
【発明が解決しようとする課題】
【０００９】
しかしながら、特許文献１に記載の磁気カードリーダは、内部に埃の進入を防ぐために設けた金属製のシャッター部材を利用して除電するものであるので、磁気カードをカード走行溝に沿って走行させるタイプのものにはスペース的に余裕がないので適用することができない。また、特許文献２に記載の磁気カードリーダは、磁気カードのカード走行溝への挿入をスリット開口部から走行方向と垂直の方向に挿入するタイプのものであって、走行方向に挿入するタイプのものは、磁気ストライプが塵埃吸着部材に接触することがないので適用することができないという問題点があった。【００１０】
本発明はこのような点に鑑みてなされたものであり、磁気カードをカード走行溝の走行方向に挿入するものであって、除電およびクリーニング機能を有する磁気カードリーダを提供することを目的とする。
【課題を解決するための手段】
【００１１】
本発明では上記の課題を解決するために、磁気カードをカード走行溝の走行方向に挿入し、前記カード走行溝に沿って前記磁気カードを手動で走行させることにより前記磁気カードに記録されたデータの読み取りを行う磁気カードリーダにおいて、磁気ヘッドよりもカード走行方向手前にて前記カード走行溝に突出するように除電部材およびクリーニング部材が設けられていることを特徴とする磁気カードリーダが提供される。【００１２】
このような磁気カードリーダによれば、磁気カードを走行させるとき、磁気カードが磁気ヘッドに到達する前に、除電部材により磁気カードに帯電した静電気が除去され、クリーニング部材により磁気カードがクリーニングされる。【００１３】
また、本発明では、磁気カードをカード走行溝の走行方向に挿入し、前記カード走行溝に沿って前記磁気カードを手動で走行させることにより前記磁気カードに記録されたデータの読み取りを行う磁気カードリーダにおいて、磁気ヘッドが設けられた磁気カードリーダユニットの前記カード走行溝をガイドにして前記磁気カードの走行とともに走行する除電部材と、データ読み取り待機状態にて前記除電部材を前記磁気カードリーダユニットの前記磁気カードの挿入側に引き戻す導電性の弾性体と、前記除電部材に貼付されて前記磁気カードの走行に合わせて前記磁気ヘッドをクリーニングするクリーニング部材とを備えていることを特徴とする磁気カードリーダが提供される。【００１４】
このような磁気カードリーダによれば、磁気カードを走行させるとき、磁気カードが磁気ヘッドに到達する前に、除電部材により磁気カードに帯電した静電気が除去され、クリーニング部材により磁気ヘッドがクリーニングされる。
【発明の効果】
【００１５】
上記構成の磁気カードリーダは、カード走行溝にて除電部材およびクリーニング部材を磁気カードに接触させる構成または除電部材が磁気カードを受け止める構成であるため、磁気カードへの負荷を少なくしながら、磁気カードの除電と磁気カードまたは磁気ヘッドのクリーニングとをすることができる。磁気カードの静電気を除去できるので、静電気による読み取り不良や、磁気ヘッドの静電気によるダメージを防止することができる。また、磁気カードの読み取り前に、磁気カードまたは磁気ヘッドをクリーニングするため、磁気ヘッドの汚れが軽減できることから、クリーニングカードを用いた磁気ヘッドの清掃などの定期的なメンテナンスの間隔を延ばしたり、不要にしたりすることができる。【００１６】
本発明の上記および他の目的、特徴および利点は本発明の例として好ましい実施の形態を表す添付の図面と関連した以下の説明により明らかになるであろう。
【図面の簡単な説明】
【００１７】
【図１】磁気カードを通過させるタイプの磁気カードリーダの取り付け例を示す外観図である。
【図２】第１の実施の形態に係る磁気カードリーダを底面側から見た要部分解斜視図である。
【図３】固定式除電部材の接地方法を示す磁気カードリーダの斜視図である。
【図４】固定式除電部材の取り付け状態を示す断面図である。
【図５】固定式除電部材の変形例を示す図であって、（Ａ）は固定式除電部材の第１の変形例を示し、（Ｂ）は固定式除電部材の第２の変形例を示し、（Ｃ）は固定式除電部材の第３の変形例を示している。
【図６】第２の実施の形態に係る磁気カードリーダの一部を水平方向に切断して見た断面図である。
【図７】磁気カードを通過させないタイプの磁気カードリーダの取り付け例を示す外観図である。
【図８】第３の実施の形態に係る磁気カードリーダの使用状態を示す斜視図である。
【図９】可動式除電部材と磁気カードとの係合状態を示す斜視図である。
【図１０】可動式除電部材を示す斜視図である。
【発明を実施するための形態】
【００１８】
以下、本発明の実施の形態について、磁気カードをカード走行溝の走行方向に挿入し、カード走行溝に沿って磁気カードを手動で走行させることにより磁気カードに記録されたデータの読み取りを行った後、そのままカード走行溝を通過させるタイプおよび通過させないタイプの磁気カードリーダに適用した場合を例に図面を参照して詳細に説明する。
【００１９】
図１は磁気カードを通過させるタイプの磁気カードリーダの取り付け例を示す外観図、図２は第１の実施の形態に係る磁気カードリーダを底面側から見た要部分解斜視図、図３は固定式除電部材の接地方法を示す磁気カードリーダの斜視図、図４は固定式除電部材の取り付け状態を示す断面図である。
【００２０】
磁気カードリーダ１０は、たとえば図１に示すような情報端末１１の側面に取り付けられ、磁気カード１２に記録されたデータを読み取って情報端末１１に入力するためのものである。この磁気カードリーダ１０は、図の上から下に向かって貫通して延びるカード走行溝１３を有し、データの読み取りを行うときには、そのカード走行溝１３に磁気カード１２を図の上端から挿入し、カード走行溝に沿って移動させ、図の下端から抜けるよう手動操作する。
【００２１】
磁気カードリーダ１０は、図２に示したように、磁気カードリーダユニット１４と、磁気ヘッド前走部１５と、磁気ヘッド後走部１６とを有している。磁気カードリーダユニット１４は、カード走行溝１３に摺動面が突出するようにカード走行溝１３を構成する側壁に磁気ヘッド１７が載架されている。この磁気ヘッド１７は、磁気カード１２の走行時には、磁気カード１２によってカード走行溝１３から待避する方向に押し退けられ、その反作用で磁気カード１２との接触状態が保たれるようになっている。
【００２２】
磁気ヘッド前走部１５および磁気ヘッド後走部１６は、これらの間に磁気カードリーダユニット１４が嵌め込まれるようにフロントカバー１８と一体に形成されている。磁気ヘッド前走部１５および磁気ヘッド後走部１６は、磁気カード１２の走行をガイドするように形成され、磁気カードリーダユニット１４と連結されてカード走行溝１３を構成している。
【００２３】
磁気ヘッド前走部１５は、磁気カードリーダユニット１４よりも磁気カード１２が挿入される側に配置されるもので、図１では、図の上端側に位置する。この磁気ヘッド前走部１５には、カード走行溝１３を構成する側壁１５ａを有し、その側壁１５ａには開口部１５ｂが穿設されている。この開口部１５ｂの中心は、カード走行溝１３の底部であるカード摺動基準面からの位置が、磁気カードリーダユニット１４にて磁気ヘッド１７がカード走行溝１３に突出している開口部のカード摺動基準面からの位置とほぼ同じ位置に形成されている。
【００２４】
磁気ヘッド前走部１５は、その開口部１５ｂを介して先端部分がカード走行溝１３に突出するように固定式除電部材１９が載架されている。固定式除電部材１９は、四角形のベース部の中央に膨出部を有し、ベース部の両端からアーム部が延出された形状を有し、そのアーム部を側壁１５ａに立設されたボス部１５ｃにたとえばねじ止めにより固定している。固定式除電部材１９は、導電性を有するばね材によって形成され、そのため、磁気ヘッド前走部１５を磁気カード１２が走行するとき、磁気カード１２の側面に弾性的に接触することになる。
【００２５】
この固定式除電部材１９は、図３および図４に示したように、外表面側に磁気カードリーダ固定金具２０が配置され、磁気カード１２が磁気ヘッド前走部１５を走行するときにカード走行溝１３から待避させられる動作に応動して当接し、電気的に接続される。また、固定式除電部材１９の膨出部の表面には、クリーニング部材とするクリーニングパッド２１が貼付されている。このクリーニングパッド２１は、たとえば導電性不織布とすることができる。これにより、磁気カード１２は、カード走行溝１３を走行するときに、磁気ヘッド１７に接触する前に、固定式除電部材１９に接触して、磁気ストライプの部分をクリーニングする。同時に、磁気カード１２が静電気を帯びている場合は、導電性のクリーニングパッド２１、固定式除電部材１９および磁気カードリーダ固定金具２０を介してグランドに流れる経路が形成されているので、磁気カード１２に帯電している静電気は除電されることになる。
【００２６】
図５は固定式除電部材の変形例を示す図であって、（Ａ）は固定式除電部材の第１の変形例を示し、（Ｂ）は固定式除電部材の第２の変形例を示し、（Ｃ）は固定式除電部材の第３の変形例を示している。なお、この変形例では、クリーニングパッド２１は、省略して図示していない。
【００２７】
図５の（Ａ）に示す固定式除電部材１９ａは、磁気ヘッド前走部１５の側壁１５ａに固定される四角形のフレーム部１９ａａと、その中央に配置されて半球の形状を有する膨出部１９ａｂと、これらを連結するアーム部１９ａｃとを有し、導電性のばね材によって一体に形成されている。固定式除電部材１９ａは、その膨出部１９ａｂが側壁１５ａの開口部１５ｂを介して磁気カード１２に接触される。
【００２８】
図５の（Ｂ）に示す固定式除電部材１９ｂは、磁気ヘッド前走部１５の側壁１５ａに固定される四角形のフレーム部１９ｂａと、その中央に配置される膨出部１９ｂｂと、これらを連結するアーム部１９ｂｃとを有し、導電性のばね材によって一体に形成されている。この膨出部１９ｂｂは、その中央部が半円筒形状に形成されていて、磁気カード１２と線接触するようにし、磁気カード１２に接触する範囲を広げている。
【００２９】
図５の（Ｃ）に示す固定式除電部材１９ｃは、四角形のベース部１９ｃａと、その中央に形成される膨出部１９ｃｂと、ベース部１９ｃａの一端から延出されるアーム部１９ｃｃとを有し、導電性のばね材によって一体に形成されている。このアーム部１９ｃｃは、その先端部がＶ字状に形成されていて、たとえば磁気ヘッド前走部１５に形成された固定用溝に挿入するだけで、先端部のばねの作用により磁気ヘッド前走部１５に固定することができる。
【００３０】
図６は第２の実施の形態に係る磁気カードリーダの一部を水平方向に切断して見た断面図である。なお、この図６において、図２に示した構成要素と同じまたは均等の構成要素については同じ符号を付してその詳細な説明は省略する。
【００３１】
この第２の実施の形態に係る磁気カードリーダ１０ａは、固定式除電部材１９およびクリーニングパッド２１を磁気カード１２の走行方向に並べて配置している。この場合、クリーニングパッド２１は、導電性である必要はないので、他の任意の素材を使用することができる。固定式除電部材１９は、図示はしないが、磁気カードリーダ固定金具２０によってグランドに接地されている。
【００３２】
磁気ヘッド前走部１５に磁気カード１２が挿入されると、磁気カード１２は、まず、固定式除電部材１９に接触する。このとき、磁気カード１２が静電気を帯電していれば、その静電気は、固定式除電部材１９および磁気カードリーダ固定金具２０を介してグランドに放電される。続いて、磁気カード１２は、クリーニングパッド２１に接触する。磁気カード１２は、クリーニングパッド２１を通過する間に、磁気ヘッド１７が接触する磁気ストライプの部分をクリーニングする。その後、磁気カード１２は、磁気ヘッド１７に接触してデータの読み取りを行うことになる。このように、磁気カード１２は、クリーニングされてから磁気ヘッド１７に接触するので、磁気ヘッド１７を汚れにくくすることができ、したがって、清掃に関する定期的なメンテナンスの間隔を延ばすことができる。
【００３３】
図７は磁気カードを通過させないタイプの磁気カードリーダの取り付け例を示す外観図、図８は第３の実施の形態に係る磁気カードリーダの使用状態を示す斜視図、図９は可動式除電部材と磁気カードとの係合状態を示す斜視図、図１０は可動式除電部材を示す斜視図である。なお、この図７および図８において、図２に示した構成要素と同じまたは均等の構成要素については同じ符号を付してその詳細な説明は省略する。
【００３４】
第３の実施の形態に係る磁気カードリーダ１０ｂは、図７に示したように、カード走行溝１３の下端部が閉じられている。このため、利用者は、データ読み取りのために磁気カード１２を走行させてカード走行溝１３の終端部に当接後は、磁気カード１２を手前に引き抜いて取り出すような手動操作をすることになる。
【００３５】
この磁気カードリーダ１０ｂは、図８に示したように、可動式除電部材２２を備えている。なお、この図８は、フロントカバー１８およびこれと一体の磁気ヘッド前走部１５および磁気ヘッド後走部１６を省略して示している。可動式除電部材２２は、磁気カードリーダユニット１４のカード走行溝１３を往復自在に設けられ、通常のデータ読み取り待機状態では、磁気カード１２が挿入される磁気ヘッド前走部１５の側に引き戻すように磁気カードリーダ固定金具２０の掛止部２０ａとの間に弾性体とする引張りコイルばね２３が掛け渡されている。この引張りコイルばね２３は、たとえばリン青銅のような導電性を有するばね材によって形成されている。
【００３６】
可動式除電部材２２は、図９および図１０に示したように、カード先導部２２ａと、カード把持部２２ｂと、掛止部２２ｃとを有し、金属板を加工することによって一体に形成されている。カード先導部２２ａは、カード走行溝１３をガイドにして往復移動することができ、磁気カード１２の磁気ストライプ１２ａに対応する位置の表面には、帯状のクリーニングパッド２１が巻き付けるようにして貼付されている。クリーニングパッド２１は、たとえば不織布が用いられ、磁気カード１２の読み取り操作のたびに磁気ヘッド１７の表面をクリーニングすることになる。カード把持部２２ｂは、挿入された磁気カード１２を受け止めるとともに、磁気カード１２に帯電している静電気を集電し、掛止部２２ｃから引張りコイルばね２３を介して磁気カードリーダ固定金具２０へ放電させる機能を有している。
【００３７】
可動式除電部材２２は、好ましくは、カード先導部２２ａにクリーニングパッド２１を貼付した状態の厚みが磁気カード１２の厚みを超えないように形成されるのがよい。また、この実施の形態では、可動式除電部材２２を金属板で形成しているが、導電性の微粒子またはファイバが混入された導電性樹脂で形成してもよい。
【００３８】
以上の構成の磁気カードリーダ１０ｂによれば、図示しない磁気ヘッド前走部１５より磁気カード１２が挿入されると、磁気カード１２は、引張りコイルばね２３によって磁気ヘッド前走部１５の側へ移動していた可動式除電部材２２のカード把持部２２ｂによって受け止められる。このとき、カード把持部２２ｂに接触された磁気カード１２が静電気を帯びていれば、その静電気は、掛止部２２ｃ、引張りコイルばね２３および磁気カードリーダ固定金具２０を介してグランドに放電されることで除去される。引き続き、磁気カード１２を走行させると、可動式除電部材２２は、引張りコイルばね２３の付勢力に抗して磁気カード１２と一緒に走行される。可動式除電部材２２が磁気ヘッド１７を通過するとき、クリーニングパッド２１が磁気ヘッド１７に接触して磁気ヘッド１７の表面をクリーニングする。その後、磁気カード１２は、磁気ヘッド１７に接触してデータの読み取りを行うことになる。磁気カード１２は、磁気ヘッド１７を通過した後、カード走行溝１３の終端部に当接され、その後、磁気カード１２を手前に引き抜くことにより、磁気カード１２の読み取り操作が完了する。
【００３９】
このように、クリーニングパッド２１が磁気ヘッド１７をクリーニングしてから、磁気カード１２が磁気ヘッド１７に接触することになるので、磁気ヘッド１７に汚れが堆積することはなく、したがって、清掃に関する定期的なメンテナンスは、不要にすることができる。
【００４０】
上記については単に本発明の原理を示すものである。さらに、多数の変形、変更が当業者にとって可能であり、本発明は上記に示し、説明した正確な構成および応用例に限定されるものではなく、対応するすべての変形例および均等物は、添付の請求項およびその均等物による本発明の範囲とみなされる。
【符号の説明】
【００４１】
１０，１０ａ，１０ｂ  磁気カードリーダ
１１  情報端末
１２  磁気カード
１２ａ  磁気ストライプ
１３  カード走行溝
１４  磁気カードリーダユニット
１５  磁気ヘッド前走部
１５ａ  側壁
１５ｂ  開口部
１５ｃ  ボス部
１６  磁気ヘッド後走部
１７  磁気ヘッド
１８  フロントカバー
１９，１９ａ  固定式除電部材
１９ａａ  フレーム部
１９ａｂ  膨出部
１９ａｃ  アーム部
１９ｂ  固定式除電部材
１９ｂａ  フレーム部
１９ｂｂ  膨出部
１９ｂｃ  アーム部
１９ｃ  固定式除電部材
１９ｃａ  ベース部
１９ｃｂ  膨出部
１９ｃｃ  アーム部
２０  磁気カードリーダ固定金具
２０ａ  掛止部
２１  クリーニングパッド
２２  可動式除電部材
２２ａ  カード先導部
２２ｂ  カード把持部
２２ｃ  掛止部
２３  引張りコイルばね
【図１】
2011001506.tif 000003
【図２】
2011001506.tif 000004
【図３】
2011001506.tif 000005
【図４】
2011001506.tif 000006
【図５】
2011001506.tif 000007
【図６】
2011001506.tif 000008
【図７】
2011001506.tif 000009
【図８】
2011001506.tif 000010
【図９】
2011001506.tif 000011
【図１０】
2011001506.tif 000012
【国際調査報告】
2011001506.tif 000013
2011001506.tif 000014
2011001506.tif 000015
2011001506.tif 000016